(57)【特許請求の範囲】
【請求項１】
コンテンツの著作権を保護しつつ、コンテンツの利用権を記録媒体へ移動させる記録装置であって、
コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶する記憶手段と、
前記コンテンツ鍵を外部の記録媒体に記録し、前記記憶手段が記憶するコンテンツ鍵を消去する鍵移動手段と、
前記コンテンツ鍵が消去された後に、前記第2暗号化コンテンツを前記記録媒体に記録し、前記第2暗号化コンテンツを前記記憶手段から消去するコンテンツ移動手段とを備え、
前記鍵移動手段は、さらに、
前記コンテンツ鍵を前記記録媒体に記録する記録部と、
前記記憶手段が記憶するコンテンツ鍵を消去する消去部と、
前記記憶手段から前記コンテンツ鍵を読み出す読出部と、
前記コンテンツ鍵が読み出された後に、前記記憶手段が記憶するコンテンツ鍵の利用を禁止する禁止部とを備え、
前記記録部は、前記禁止部が禁止した後に記録を行い、
前記コンテンツ鍵は、当該コンテンツ鍵が利用可能であることを示す利用可能情報と対応付けられており、
前記禁止部は、前記利用可能情報を、当該コンテンツ鍵が利用禁止であることを示す利用禁止情報に書き換える
ことを特徴とする記録装置。
【請求項２】
前記記録装置は、更に、
前記第2暗号化コンテンツ及び前記コンテンツ鍵が前記記録媒体に記録された後、
前記記録媒体から、前記コンテンツ鍵を取得し、取得したコンテンツ鍵を、利用を禁止した状態で前記記憶手段に書き込み、前記記録媒体から前記コンテンツ鍵を消去し、前記記憶手段に書き込んだコンテンツ鍵の利用を許可する鍵再移動手段を備える
ことを特徴とする請求項１記載の記録装置。
【請求項３】
前記鍵再移動手段は、更に、
前記コンテンツ鍵を書き込む場合に、当該コンテンツ鍵の利用が禁止されていることを示す利用禁止情報を、前記コンテンツ鍵に対応付けて書きこみ、
前記記録媒体から前記コンテンツ鍵が消去されると、前記利用不可能情報を、利用可能であることを示す利用可能情報に書き換える
ことを特徴とする請求項２記載の記録装置。
【請求項４】
前記記録装置は、更に、
前記コンテンツを取得する取得手段と、
前記取得したコンテンツを予め変換する変換手段と、
前記コンテンツと、変換後のコンテンツとをそれぞれ、前記コンテンツ鍵を用いて復号可能となるように暗号化し、第1暗号化コンテンツ及び第２暗号化コンテンツを生成する暗号化手段とを備える
ことを特徴とする請求項1記載の記録装置。
【請求項５】
前記記録装置は、更に、
前記コンテンツ鍵を読み出し、読み出した前記コンテンツ鍵を用いて前記第1暗号化コンテンツ又は前記第2暗号化コンテンツを復号し、前記コンテンツ又は変換されたコンテンツを生成する復号手段と、
復号された何れかのコンテンツを再生する再生手段と、
前記コンテンツ鍵が読み出された後、前記再生手段が再生する前に、前記記憶手段が記憶しているコンテンツ鍵の利用を禁止する禁止手段とを備える
ことを特徴とする請求項１記載の記録装置。
【請求項６】
前記記憶手段は、更に、
前記コンテンツ鍵の代わりに、前記第1暗号化コンテンツの復号に用いる第1コンテンツ鍵と、第2暗号化コンテンツの復号に用いる第2コンテンツ鍵とを記憶し、
前記鍵移動手段は、
前記第2コンテンツ鍵を読み出す読出部と、
読み出した前記第2コンテンツ鍵を前記記録媒体に記録する記録部と、
前記記憶手段から前記第2コンテンツ鍵を消去する消去手段とを備え、
前記記録装置は、更に、
前記第2コンテンツ鍵が読み出された後に、前記第1コンテンツ鍵及び第2コンテンツ鍵の利用を禁止する禁止手段を備える
ことを特徴とする請求項１記載の記録装置。
【請求項７】
前記記録装置は、更に、
前記記録媒体から前記第2コンテンツ鍵を消去する消去手段と、
前記第１コンテンツ鍵の利用を許可する許可手段とを備え、
前記第2暗号化コンテンツ及び前記第2コンテンツ鍵が前記記録媒体に記録された後、前記消去手段が消去し、許可手段が許可する
ことを特徴とする請求項６記載の記録装置。
【請求項８】
前記記録装置は、更に、
前記記憶部から前記第1コンテンツ鍵を読み出し、当該第1コンテンツ鍵を用いて、前記第1暗号化コンテンツを復号し、前記コンテンツを生成する復号手段と、
生成された前記コンテンツを再生する再生手段と、
前記復号手段によって前記第１コンテンツ鍵が読み出された後、前記再生手段が再生を開始する前に、前記記憶手段に記憶されている前記第1コンテンツ鍵及び前記第2コンテンツ鍵の利用を禁止する禁止手段とを備える
ことを特徴とする請求項６記載の記録装置。
【請求項９】
前記記録媒体は、モバイル機器に接続可能な可搬型の記録媒体である
ことを特徴とする請求項1記載の記録装置。
【請求項１０】
前記記録媒体は、
前記コンテンツ鍵を用いて前記第2暗号化コンテンツを復号し、前記コンテンツを生成する復号手段と、
生成した前記コンテンツを再生する再生手段と
を備える他の装置に実装される
ことを特徴とする請求項1記載の記録装置。
【請求項１１】
コンテンツの著作権を保護しつつ、コンテンツの利用権を記録装置から記録媒体へ移動させるコンテンツ保護システムであって、
前記記録装置は、
コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶する記憶手段と、
前記コンテンツ鍵を外部の記録媒体に記録し、前記記憶手段が記憶するコンテンツ鍵を消去する鍵移動手段と、
前記コンテンツ鍵が消去された後に、前記第2暗号化コンテンツを前記記録媒体に記録し、前記第2暗号化コンテンツを前記記憶手段から消去するコンテンツ移動手段とを備え、
前記記録媒体は、
前記コンテンツ鍵及び前記第2暗号化コンテンツを記憶する記憶領域を備え、
前記鍵移動手段は、さらに、
前記コンテンツ鍵を前記記録媒体に記録する記録部と、
前記記憶手段が記憶するコンテンツ鍵を消去する消去部と、
前記記憶手段から前記コンテンツ鍵を読み出す読出部と、
前記コンテンツ鍵が読み出された後に、前記記憶手段が記憶するコンテンツ鍵の利用を禁止する禁止部とを備え、
前記記録部は、前記禁止部が禁止した後に記録を行い、
前記コンテンツ鍵は、当該コンテンツ鍵が利用可能であることを示す利用可能情報と対応付けられており、
前記禁止部は、前記利用可能情報を、当該コンテンツ鍵が利用禁止であることを示す利用禁止情報に書き換える
ことを特徴とするコンテンツ保護システム。
【請求項１２】
コンテンツの著作権を保護しつつ、記録装置から前記コンテンツの利用権の移動を受け付ける可搬型の記録媒体であって、
前記記録装置は、
コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶する記憶手段と、
前記コンテンツ鍵を外部の記録媒体に記録し、前記記憶手段が記憶するコンテンツ鍵を消去する鍵移動手段と、
前記コンテンツ鍵が消去された後に、前記第2暗号化コンテンツを前記記録媒体に記録し、前記第2暗号化コンテンツを前記記憶手段から消去するコンテンツ移動手段とを備え、
前記記録媒体は、
前記コンテンツ鍵及び前記第2暗号化コンテンツを記憶する記憶領域を備え、
前記鍵移動手段は、
前記コンテンツ鍵を前記記録媒体に記録する記録部と、
前記記憶手段が記憶するコンテンツ鍵を消去する消去部と、
前記記憶手段から前記コンテンツ鍵を読み出す読出部と、
前記コンテンツ鍵が読み出された後に、前記記憶手段が記憶するコンテンツ鍵の利用を禁止する禁止部とを備え、
前記記録部は、前記禁止部が禁止した後に記録を行い、
前記コンテンツ鍵は、当該コンテンツ鍵が利用可能であることを示す利用可能情報と対応付けられており、
前記禁止部は、前記利用可能情報を、当該コンテンツ鍵が利用禁止であることを示す利用禁止情報に書き換える
ことを特徴とする記録媒体。
【請求項１３】
コンテンツの著作権を保護しつつ、コンテンツの利用権を記録媒体へ移動させる記録装置で用いられるコンテンツ移動方法であって、
前記記録装置は、記憶手段において、コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶しており、
前記コンテンツ移動方法は、
前記コンテンツ鍵を外部の記録媒体に記録し、前記記憶手段が記憶するコンテンツ鍵を消去する鍵移動ステップと、
前記コンテンツ鍵が消去された後に、前記第2暗号化コンテンツを前記記録媒体に記録し、前記第2暗号化コンテンツを前記記憶手段から消去するコンテンツ移動ステップとを含み、
前記鍵移動ステップは、
前記コンテンツ鍵を前記記録媒体に記録する記録ステップと、
前記記憶手段が記憶するコンテンツ鍵を消去する消去ステップと、
前記記憶手段から前記コンテンツ鍵を読み出す読出ステップと、
前記読出ステップで前記コンテンツ鍵が読み出された後に、前記記憶手段が記憶するコンテンツ鍵の利用を禁止する禁止ステップとを含み、
前記記録ステップは、前記禁止サブステップの後に実行され、
前記コンテンツ鍵は、当該コンテンツ鍵が利用可能であることを示す利用可能情報と対応付けられており、
前記禁止ステップは、前記利用可能情報を、当該コンテンツ鍵が利用禁止であることを示す利用禁止情報に書き換えることを含む
ことを特徴とするコンテンツ移動方法。
【請求項１４】
コンテンツの著作権を保護しつつ、コンテンツの利用権を記録媒体へ移動させる記録装置で用いられるコンテンツ移動プログラムであって、
前記記録装置は、記憶手段において、コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶しており、
コンテンツ移動プログラムは、コンピュータに、
前記コンテンツ鍵を外部の記録媒体に記録し、前記記憶手段が記憶するコンテンツ鍵を消去する鍵移動ステップと、
前記コンテンツ鍵が消去された後に、前記第2暗号化コンテンツを前記記録媒体に記録し、前記第2暗号化コンテンツを前記記憶手段から消去するコンテンツ移動ステップとを実行させるものであり、
前記鍵移動ステップは、
前記コンテンツ鍵を前記記録媒体に記録する記録ステップと、
前記記憶手段が記憶するコンテンツ鍵を消去する消去ステップと、
前記記憶手段から前記コンテンツ鍵を読み出す読出ステップと、
前記コンテンツ鍵が読み出された後に、前記記憶手段が記憶するコンテンツ鍵の利用を禁止する禁止ステップとを含み、
前記記録ステップは、前記禁止ステップが禁止した後に実行し、
前記コンテンツ鍵は、当該コンテンツ鍵が利用可能であることを示す利用可能情報と対応付けられており、
前記禁止ステップは、前記利用可能情報を、当該コンテンツ鍵が利用禁止であることを示す利用禁止情報に書き換える
ことを特徴とするコンテンツ移動プログラム。
【請求項１５】
コンテンツの著作権を保護しつつ、コンテンツの利用権を記録媒体へ移動させる記録装置で用いられるコンテンツ移動プログラムを記録した、コンピュータ読み取り可能な記録媒体であって、
前記記録装置は、記憶手段において、コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶しており、
前記コンテンツ移動プログラムは、コンピュータに、
前記コンテンツ鍵を外部の記録媒体に記録し、前記記憶手段が記憶するコンテンツ鍵を消去する鍵移動ステップと、
前記コンテンツ鍵が消去された後に、前記第2暗号化コンテンツを前記記録媒体に記録し、前記第2暗号化コンテンツを前記記憶手段から前記第2暗号化コンテンツを消去するコンテンツ移動ステップとを実行させるものであり、
前記鍵移動ステップは、
前記コンテンツ鍵を前記記録媒体に記録する記録ステップと、
前記記憶手段が記憶するコンテンツ鍵を消去する消去ステップと、
前記記憶手段から前記コンテンツ鍵を読み出す読出ステップと、
前記コンテンツ鍵が読み出された後に、前記記憶手段が記憶するコンテンツ鍵の利用を禁止する禁止ステップとを含み、
前記記録ステップは、前記禁止ステップが禁止した後に実行し、
前記コンテンツ鍵は、当該コンテンツ鍵が利用可能であることを示す利用可能情報と対応付けられており、
前記禁止ステップは、前記利用可能情報を、当該コンテンツ鍵が利用禁止であることを示す利用禁止情報に書き換える
ことを特徴とする記録媒体。
【発明の詳細な説明】
【技術分野】
【０００１】
本発明は、コンテンツを記録再生する記録再生装置に関し、特にコンテンツの不正利用を防止しつつユーザの利便性を高める技術に関する。
【背景技術】
【０００２】
デジタル放送番組のコピーガード施策として、１回だけ録画可能であることを示す「Copy One Generation」の制御信号を付加して暗号化して放送される。この様に「CopyOne Generation」の制御信号が付加されたデジタル放送番組は、しかるべき著作権保護機能を備えた記録再生装置を用いることにより録画することができる。録画されたデジタル放送番組は、他の機器にダビングすることが出来ず、移動（ムーブ）のみ許可されている。
【特許文献１】特開２００３‐２２８５２２号公報
【非特許文献１】「現代暗号理論」、池野信一、小山謙二、電子通信学会
【非特許文献２】「現代暗号入門」、岡本栄司、共立出版株式会社
【発明の開示】
【発明が解決しようとする課題】
【０００３】
しかしながら、デジタル放送番組は、データ量の多い高画質コンテンツであるため、移動先がメモリカードなど記憶容量の小さい機器である場合には、記録再生装置は、高画質コンテンツを画像変換により圧縮し、データ量を減らした後にメモリカードに移動させる必要がある。
この場合、移動先のメモリカードから元の記録再生装置へ再度コンテンツを移動させた場合には、既に画像変換により元の高画質コンテンツは失われてしまっているので、記録再生装置は、もはや高画質コンテンツを利用することができないという問題がある。
【０００４】
そこで本発明は、上記の問題点に鑑みなされたものであって、画像変換を施したコンテンツを他の機器へ移動した場合であっても、移動先の機器から元の記録再生装置へ再度コンテンツを移動させた場合に、画像変換前のコンテンツを利用することができる記録装置、記録媒体及びコンテンツ保護システムを提供することを目的とする。
【課題を解決するための手段】
【０００５】
上記目的を達成するために、本発明は、コンテンツの著作権を保護しつつ、コンテンツの利用権を記録媒体へ移動させる記録装置であって、コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶する記憶手段と、前記コンテンツ鍵を外部の記録媒体に記録し、前記記憶手段が記憶するコンテンツ鍵を消去する鍵移動手段と、前記コンテンツ鍵が消去された後に、前記第2暗号化コンテンツを前記記録媒体に記録し、前記記憶手段から消去するコンテンツ移動手段とから構成されることを特徴とする記録装置である。
【発明の効果】
【０００６】
上記構成によると、第2暗号化コンテンツを移動しても、記録装置からコンテンツ鍵が消去されるので、記録装置内の第１暗号化コンテンツの利用は無効化され、著作権を保護することが出来る。また、記録装置内に第1暗号化コンテンツが記録されたままなので、コンテンツ鍵を取得すれば、変換されていないコンテンツを利用することが可能となる。
【発明を実施するための最良の形態】
【０００７】
（実施の形態１）
以下、本発明の実施の形態１について図面を用いて詳細に説明する。
１．  著作物保護システム１の構成
著作物保護システム１は、図１に示すように、コンテンツ供給装置１０１、記録再生装置１０２、記録再生装置１０３、メモリカード１０４、モバイル機器１０５、モニタ１２及びスピーカ１３から構成される。
【０００８】
著作物保護システム１では、コンテンツ供給装置１０１からデジタルコンテンツを供給し、そのコンテンツを記録再生装置１０２が受信し、記録可能であれば記録する。記録再生装置１０２は、モニタ１２及びスピーカ１３に接続されており、ユーザは、記録再生装置１０２に記録したコンテンツをモニタ１２及びスピーカ１３に出力して視聴することが出来る。
【０００９】
また、記録したコンテンツを可搬型の記録媒体であるメモリカード１０４に移動し、メモリカード１０４をモバイル機器１０５に接続し、モバイル機器１０５を用いて移動したコンテンツを視聴することが出来る。
メモリカード１０４にコンテンツを移動した場合、記録再生装置１０２のコンテンツをモニタ１２及びスピーカ１３にて視聴することは出来ないが、メモリカード１０４のコンテンツを、再度記録再生装置１０２に移動すると、元のように、モニタ１２及びスピーカ１３にて視聴することが出来る。記録再生装置１０２から記録再生装置１０３へコンテンツを移動する場合も同様である。
【００１０】
以下、各装置の構成について説明する。
１．１  コンテンツ供給装置１０１
コンテンツ供給装置１０１は、デジタルコンテンツを放送する装置であり、放送局に備えられている。一例としてMPEG（Moving Picture ExpertsGroup phase）‐２規格に従って圧縮符号化されたトランスポートストリームであるコンテンツC2を放送する。コンテンツ供給装置１０１から放送されたコンテンツC2は、記録再生装置１０２のアンテナにより受信される。
【００１１】
１．２  記録再生装置１０２の構成
記録再生装置１０２は、図２に示すように、受信部２０１、判定部２０２、情報記録部２０３、コンテンツ記録部２０４、変換部２０５、暗号化部２０６、暗号化部２０７、鍵生成部２０８、制御部２０９、判定部２１０、読出／書込部２１１、認証部２１２、暗号化／復号部２１３、復号部２１４、再生部２１５、入力部２１６及び入出力部２１７から構成される。
【００１２】
（１）受信部２０１
受信部２０１は、コンテンツ供給装置１０１が放送するコンテンツC2を受信する。
また、受信部２０１は、コンテンツC2と共に、当該コンテンツC2のコピー制御情報を受信する。コピー制御情報は、対応付けられているコンテンツの利用に関する規定を示す。一例として、コピー制御情報は、２ビットのデータであり、（ａ）自由にコピーできる「CopyFree」、（ｂ）一度だけコピーを許す「Copy One Generation」、（ｃ）コピーを禁止する「Copy Never」、及び（ｄ）一度コピーした後に、それ以上のコピーを禁止する「NoMore Copy」の、４つの状態を示す。
【００１３】
受信部２０１は、受信したコンテンツC2とそのコピー制御情報とを判定部２０２へ出力する。
（２）判定部２０２
判定部２０２は、コンテンツC2と、コピー制御情報とを受け取り、コピー制御情報が記録を許可しているか否かを判断する。判定部２０２は、コピー制御情報が「CopyOne Generation」を示す場合、コンテンツC2の記録が１回だけ許可されていると判断し、コンテンツC2を変換部２０５及び暗号化部２０６へ出力する。また、コピー制御情報を、「NoMore Copy」を示すデータに書き換えて、コピー制御情報６０１として情報記録部２０３へ書き込む。
【００１４】
なお、「Copy Free」の場合は、コピー制御情報を書き換えずに情報記録部２０３へ書き込む。
（３）鍵生成部２０８
鍵生成部２０８は、コンテンツ鍵K６０３を生成する。コンテンツ鍵K６０３は、暗号化部２０６及び２０７で、コンテンツC2を暗号化する際に用いられる鍵データである。また、コンテンツ鍵K６０３は、復号部２１４で暗号化されたコンテンツを復号する際にも用いられる。
【００１５】
鍵生成部２０８は、生成したコンテンツ鍵K６０３を制御部２０９へ出力する。
（４）制御部２０９
制御部２０９は、外部からアクセス不可能な耐タンパ領域に設けられる。ここで、耐タンパ領域は、具体的には、耐タンパハードウェア、耐タンパソフトウェア或いは両者の組み合わせで構成される。
【００１６】
制御部２０９は、鍵生成部２０８からコンテンツ鍵Kを受け取ると、利用フラグ６０２と対応付けてコンテンツ鍵K６０３として情報記録部２０３へ書き込む。
利用フラグ６０２は、「１」又は「０」の値をとる。「１」の場合、対応付けられているコンテンツ鍵K６０３の利用が可能状態であることを示し、「０」の場合は、コンテンツ鍵K６０３の利用が不可能状態であることを示す。利用不可能状態は、読出／書込部２１１、暗号化部２０６、２０７及び復号部２１４によるコンテンツ鍵Kの利用を禁止することを意味し、各部は、コンテンツ鍵K６０３を読み出すことは出来ない。また、利用可能状態の場合は、読み出して利用できる。
【００１７】
制御部２０９がコンテンツ鍵K６０３を書き込む場合は、利用フラグ「１」を対応付けて記録する。
また、制御部２０９は、暗号化コンテンツEC4をメモリカード１０４へ移動する際、読出／書込部２１１がコンテンツ鍵K６０３を読み出すと、利用フラグ６０２を「０」にし、コンテンツ鍵K６０３を利用不可能状態にする。
【００１８】
また、メモリカード１０４から記録再生装置１０２へ暗号化コンテンツEC4を移動する場合に、読出／書込部２１１からコンテンツ鍵Kが書き込まれると、利用フラグを「０」にし、メモリカード１０４のコンテンツ鍵Kが消去されると、利用フラグを「１」にする。
（５）情報記録部２０３
情報記録部２０３は、耐タンパ領域であり、外部の装置が読み書きすることは出来ない。この情報記録部２０３は、具体的には、耐タンパハードウェア、耐タンパソフトウェア或いは両者の組み合わせで構成される。
【００１９】
情報記録部２０３は、コピー制御情報６０１、利用フラグ６０２及びコンテンツ鍵K６０３を記録する領域を備える。
（６）変換部２０５
変換部２０５は、受信したコンテンツのデータ量を少なくするために圧縮変換を行う。
一例として、変換部２０５は、受信部２０１が受信したMPEG２形式のコンテンツC2を、MPEG４形式のコンテンツC4に変換する。なお、MPEG2からMPEG4へ変換する方法は、公知であるので説明しない。
【００２０】
このようなMPEG2からMPEG4への変換は不可逆圧縮であり、受信したコンテンツより低品質なコンテンツへ変換するため、MPEG4に変換されたコンテンツC4は、変換前のMPEG2へ戻すことは出来ない。
なお、変換部２０５での変換は、受信したコンテンツをダウンコンバートしてデータ量を減らすことにあり、MPEG2及びMPEG4を用いることに限定されない。受信したコンテンツより圧縮率が高い圧縮方式を用いて変換し、データ量を減らす構成であれば、他の圧縮方式を用いても良い。
【００２１】
変換部２０５は、コンテンツC4を暗号化部２０７へ出力する。
（７）暗号化部２０６、２０７
暗号化部２０６は、判定部２０２からコンテンツC2を受け取り、情報記録部２０３からコンテンツ鍵K６０３を読み出す。読み出したコンテンツ鍵K６０３を用いてコンテンツC2に暗号化アルゴリズムE1を施して暗号化コンテンツEC2を生成する。
【００２２】
また、暗号化部２０７は、変換部２０５から、変換後のコンテンツC4を受け取る。また、暗号化部２０６と同様にして、情報記録部２０３からコンテンツ鍵K６０３を読み出し、コンテンツ鍵K６０３を用いてコンテンツC4に暗号化アルゴリズムE1を施して暗号化し、暗号化コンテンツEC4を生成する。
暗号化部２０６及び暗号化部２０７は、生成した暗号化コンテンツEC2及び暗号化コンテンツEC4を、それぞれコンテンツ記録部２０４に記録する。
【００２３】
なお、暗号化アルゴリズムE1は、一例としてDES暗号である。DESについては、公知であるので説明を省略する。
（８）コンテンツ記録部２０４
コンテンツ記録部２０４は、外部から読み書き可能な記録領域であり、具体的にはHDD（Hard Disk Drive）により構成される。
【００２４】
コンテンツ記録部２０４は、暗号化コンテンツEC2及び暗号化コンテンツEC4を記録する領域を備える。
（９）判定部２１０
判定部２１０は、暗号化コンテンツEC4を、メモリカード１０４へ移動して良いか否かを判定する。
【００２５】
判定部２１０は、読出／書込部２１１を介して、情報記録部２０３に記録しているコピー制御情報６０１を読み出す。コピー制御情報６０１が、「No More Copy」の場合、コピーは禁止されているが、移動は認められていると判定する。
判定部２１０は、判定結果を読出／書込部２１１へ出力する。
（１０）読出／書込部２１１
読出／書込部２１１は、情報記録部２０３からコピー制御情報６０１を読み出し、判定部２１０へ出力する。
【００２６】
また、判定部２１０による判定結果を受け取り、移動が認められないことを示す場合、移動の処理を中止する。
また、移動が認められることを示す場合、コピー制御情報６０１、コンテンツ鍵K６０３及び暗号化コンテンツEC4の移動処理を行う。
移動処理において、読出／書込部２１１は、情報記録部２０３からコピー制御情報６０１及びコンテンツ鍵K６０３を読み出して暗号化／復号部２１３へ出力する。また、コンテンツ記録部２０４から暗号化コンテンツEC4を読み出し、入出力部２１７を介してメモリカード１０４へ出力する。
【００２７】
また、暗号化コンテンツEC4をメモリカード１０４からコンテンツ記録部２０４に移動する場合、メモリカード１０４から読み出されたコピー制御情報を受け取り、判定部２１０へ出力する。判定部２１０による判定結果が移動可能であることを示す場合、読出／書込部２１１は、後述のようにしてメモリカード１０４から暗号化コンテンツEC4を取得し、コンテンツ記録部２０４へ書き込む。また、暗号化／復号部２１３からコピー制御情報６０１及びコンテンツ鍵K６０３を受け取ると、情報記録部２０３へ書き込む。
【００２８】
（１１）認証部２１２
認証部２１２は、メモリカード１０４の認証部４０１と相互認証を行う。また、認証に成功すると、そのセッションの間にのみ有効なセッション鍵を、メモリカード１０４と共有する。
なお、相互認証については、公知であり説明を省略するが、一例として、認証相手が装置であれば、DTCP（Digital Transmission ContentProtection）規格で定められた技術を用いることが出来る。また、認証相手が記録媒体である場合、CPRM SD（Content Protectionfor Recordable Media Specification SD Memory Card Book）規格で定められた技術を用いることが出来る。
【００２９】
なお、ここでは、コンテンツEC4をメモリカード１０４へ移動する場合に生成したセッション鍵をセッション鍵SK1、コンテンツEC4をメモリカード１０４からコンテンツ記録部２０４へ移動する場合に生成したセッション鍵をセッション鍵SK2と呼ぶものとする。
認証部２１２は、共有したセッション鍵SK1又はセッション鍵SK2を暗号化／復号部２１３へ出力する。
【００３０】
（１２）暗号化／復号部２１３
暗号化／復号部２１３は、認証部２１２からセッション鍵SK1又はSK2を受け取る。
暗号化コンテンツEC4をメモリカード１０４へ移動する場合、暗号化／復号部２１３は、読出／書込部２１１からコピー制御情報６０１及びコンテンツ鍵K６０３を受け取る。セッション鍵SK1を用いて、コピー制御情報６０１及びコンテンツ鍵K６０３に暗号化アルゴリズムE1を施して暗号化し、暗号化データD1を生成する。生成した暗号化データD1を入出力部２１７を介してメモリカード１０４へ出力する。
【００３１】
また、暗号化コンテンツEC4をメモリカード１０４からコンテンツ記録部２０４へ移動する場合、暗号化／復号部２１３は、メモリカード１０４から読み出された暗号化データD2を入出力部２１７を介して受け取る。暗号化データD2に対して、セッション鍵SK2を用いて復号アルゴリズムD1を施して復号し、コピー制御情報６０１及びコンテンツ鍵K６０３を生成する。生成したコピー制御情報６０１及びコンテンツ鍵K６０３を読出／書込部２１１へ出力する。
【００３２】
（１３）入出力部２１７
入出力部２１７は、メモリカードスロットを備え、メモリカード１０４との間で情報の入出力を行う。
（１４）入力部２１６
入力部２１６は、ユーザの操作による入力を受け付け、各部へ出力する。具体的に、ユーザの操作による入力とは、暗号化コンテンツEC4の移動や、暗号化コンテンツEC2の再生などである。
【００３３】
（１５）復号部２１４
復号部２１４は、入力部２１６が暗号化コンテンツEC2の再生の指示を受け付けた場合に、コンテンツ記録部２０４から暗号化コンテンツEC2を読み出し、情報記録部２０３からコンテンツ鍵K６０３を読み出す。読み出したコンテンツ鍵K６０３を用いて暗号化コンテンツEC2に復号アルゴリズムD1を施して復号し、コンテンツC2を生成する。生成したコンテンツC2を再生部２１５へ出力する。
【００３４】
なお、コンテンツC4を再生する場合も同様の処理を行う。
（１６）再生部２１５
再生部２１５は、具体的にはMPEGデコーダなどを含み、復号部２１５により復号されたコンテンツC2を受け取り、受け取ったコンテンツC2をデコードし、映像信号と音声信号とを生成する。再生部２１５は、生成した映像信号をモニタ１２へ出力し、生成した音声信号をスピーカ１３へ出力する。
【００３５】
１．３  モニタ１２、スピーカ１３
モニタ１２及びスピーカ１３は、具体的には、記録再生装置１０２と接続されたデジタルテレビである。モニタ１２は、再生部１０６から映像信号を受け取ると、受け取った映像信号を出力する。スピーカ１３は、再生部２１５から音声信号を受け取ると、受け取った音声信号を出力する。
【００３６】
１．４  メモリカード１０４
メモリカード１０４は、図３に示すように、認証部４０１、暗号化／復号部４０２、記憶部４０３、記録制御部４０６及び入出力部４０７から構成される。
メモリカード１０４は、記録再生装置１０２及びモバイル機器１０５に接続可能である。
【００３７】
（１）入出力部４０７
入出力部４０７は、コネクタピン、インターフェースドライバなどから成り、メモリカード１０４が挿入されている装置との間でデータの入出力を行うインターフェースである。
（２）認証部４０１
認証部４０１は、記録再生装置１０２の認証部２１２と相互認証を行い、認証に成功するとセッション鍵SK1又はセッション鍵SK2を共有する。認証に失敗すると、以降の処理を行わない。
【００３８】
認証部４０１は、共有したセッション鍵SK1又はSK2を暗号化／復号部４０２へ出力する。
また、モバイル機器１０５によって、暗号化コンテンツEC4が再生される場合も同様に相互認証を行う。
（３）暗号化／復号部４０２
暗号化／復号部４０２は、暗号化コンテンツEC4を記録する場合に、入出力部４０７を介して記録再生装置１０２から暗号化データD1を受け取ると、セッション鍵SK1を用いて復号アルゴリズムD1を施して復号し、コピー制御情報６０１及びコンテンツ鍵K６０３を生成する。生成したコピー制御情報６０１及びコンテンツ鍵K６０３をセキュア領域４０４に書き込む。
【００３９】
また、暗号化コンテンツEC4を記録再生装置１０２へ移動する場合、コピー制御情報６０１及びコンテンツ鍵K６０３に対して、セッション鍵SK2を用いて暗号化アルゴリズムE1を施して暗号化データD2を生成する。生成した暗号化データD2を入出力部４０７を介して記録再生装置１０２へ出力する。
また、モバイル機器１０５において、暗号化コンテンツEC4が再生される場合、認証部４０１がモバイル機器１０５との間の相互認証で共有したセッション鍵を受け取り、セッション鍵を用いてコンテンツ鍵K６０３を暗号化し、暗号化されたコンテンツ鍵K６０３を、入出力部４０７を介してモバイル機器１０５へ出力する。
【００４０】
なお、モバイル機器１０５でコンテンツの再生を行う場合、コピー制御情報６０１を出力する必要がないため、コンテンツ鍵K６０３のみを暗号化して出力しているが、コンテンツの再生時にコピー制御情報６０１を必要とする装置で暗号化コンテンツEC4を再生する場合には、コピー制御情報６０１とコンテンツ鍵K６０３とを暗号化して出力する。
（４）記憶部４０３
記憶部４０３は、セキュア領域４０４及びデータ領域４０５から構成される。
【００４１】
セキュア領域４０４は、外部から読み書き不可能な耐タンパ領域であり、認証部４０１による認証に成功した装置のみ、アクセスが許可される。
セキュア領域４０４は、コピー制御情報６０１及びコンテンツ鍵K６０３を記録する領域を備える。
データ領域４０５は、外部の装置からアクセス可能な記録領域である。
【００４２】
データ領域４０５は、暗号化コンテンツEC4を格納する領域を備える。
（５）記録制御部４０６
記録制御部４０６は、記憶部４０３を管理する。
記録制御部４０６は、認証部４０１による機器認証の結果を受け取り、成功であることを示す場合、その装置によるセキュア領域４０４へのアクセスを許可し、失敗の場合、禁止する。
１．５  モバイル機器１０５
モバイル機器１０５は、図示していない入出力部、制御部、ディスプレイ、操作部、復号部、再生部及びスピーカから構成される。
【００４３】
モバイル機器１０５は、コピー制御情報６０１、コンテンツ鍵K６０３及び暗号化コンテンツEC4が記録されたメモリカード１０４が接続されると、記録再生装置１０２と同様に、復号部は、コンテンツ鍵K６０３を用いて暗号化コンテンツEC4を復号し、再生部は、復号されたコンテンツから映像信号や音声信号を生成してディスプレイ及びスピーカへ出力する。
【００４４】
また、モバイル機器１０５は、具体的にはCPU、ROM、RAM、メモリカードスロットなどを備えるコンピュータシステムである。なお、モバイル機器１０５は、デジタルコンテンツの再生専用の機器であっても良いし、デジタルコンテンツの再生機能を備えた携帯電話機、デジタルカメラなどであっても良い。
１．６  記録再生装置１０３
記録再生装置１０３は、記録再生装置１０２と同様の構成であり、記録再生装置１０２から移動される暗号化コンテンツEC2又は暗号化コンテンツEC4を記録し、再生してモニタ１２及びスピーカ１３へ出力する。なお、記録再生装置１０２から記録再生装置１０３への暗号化コンテンツの移動は、メモリカード１０４への移動と同様の処理を行うため、詳しい説明は省略する。
２．  著作物保護システム１の動作
２．１  コンテンツC2の記録
コンテンツ供給装置１０１から受信するコンテンツC2を記録再生装置１０２が記録する場合の動作について、図４を参照して説明する。
【００４５】
受信部２０１がコピー制御情報及びコンテンツC2を受信すると（ステップＳ５０１）、判定部２０２は、コンテンツC2に付されているコピー制御情報が記録可能であるか否かを判定し（ステップＳ５０２）、受信したコピー制御情報が「CopyNever」を示す場合、記録不可能であると判定し（ステップＳ５０２でNO）、以降の処理を中止し、終了する。受信したコピー制御情報が「Copy OneGeneration」を示す場合、記録可能であると判定し（ステップＳ５０２でYES）、コピー制御情報を「Copy One Generation」から「NoMore Copy」に書き換え、情報記録部２０３に記録し（ステップＳ５０３）、受信したコンテンツC2を暗号化部２０６及び変換部２０５へ出力する。なお、受信したコピー制御情報が「CopyFree」の場合は書き換えずにそのまま情報記録部２０３に記録する。また、鍵生成部２０８は、コンテンツ鍵K６０３を生成し（ステップＳ５０４）、制御部２０９は、利用フラグ「１」と対応付けて情報記録部２０３に記録する（ステップＳ５０５）。
【００４６】
変換部２０５は受け取ったコンテンツC2を圧縮変換し（ステップＳ５０６）、コンテンツC4を生成する。生成したコンテンツC4を暗号化部２０７へ出力する。
暗号化部２０７は、受け取ったコンテンツEC4を暗号化して暗号化コンテンツEC4を生成し（ステップＳ５０７）、コンテンツ記録部２０４に記録する（ステップＳ５０８）。
また、暗号化部２０６は、受け取ったコンテンツC2を暗号化して暗号化コンテンツEC2を生成し（ステップＳ５０９）、コンテンツ記録部２０４に記録する（ステップＳ５１０）。
【００４７】
以上のようにして、コンテンツC2及び変換後のコンテンツC4を暗号化した暗号化コンテンツEC2及び暗号化コンテンツEC4を記録する。
２．２  暗号化コンテンツEC4のメモリカードへの移動
（１）暗号化コンテンツEC4を、コンテンツ記録部２０４からメモリカード１０４へ移動する場合の動作について、図５を参照して説明する。
【００４８】
入力部２１６からの指示情報が、暗号化コンテンツEC4のメモリカード１０４への移動を示す場合、判定部２１０は、読出／書込部２１１を介して、コピー制御情報６０１を取得し、移動可能か否かを判定する（ステップＳ５２１）。判定結果が移動不可能を示す場合（ステップＳ５２１でNO）、以降の処理を中止し、終了する。
判定結果が移動可能を示す場合（ステップＳ５２１でYES）、認証部２１２と、メモリカード１０４の認証部４０１とは、相互認証を行う（ステップＳ５２２）。認証結果が失敗の場合（ステップＳ５２３及びS５２４でNO）、以降の処理を中止して終了する。
【００４９】
また、認証結果が成功の場合（ステップＳ５２３及びS５２４でYES）、認証部２１２は、セッション鍵SK1を生成して暗号化／復号部２１３へ出力する。また、メモリカード１０４の認証部４０１も同様に、セッション鍵SK1を生成して暗号化／復号部４０２へ出力する。
読出／書込部２１１は、情報記録部２０３からコピー制御情報６０１及びコンテンツ鍵K６０３を読み出し（ステップＳ５２５）、暗号化／復号部２１３へ出力する。また、制御部２０９は、利用フラグを「０」にし、コンテンツ鍵K６０３を利用不可能状態にする（ステップＳ５２６）。
【００５０】
暗号化／復号部２１３は、コピー制御情報６０１及びコンテンツ鍵K６０３を受け取る。また、セッション鍵SK1を用いて、コピー制御情報６０１及びコンテンツ鍵K６０３を暗号化し、暗号化データD1を生成する（ステップＳ５２７）。生成した暗号化データD1をメモリカード１０４へ出力する。
メモリカード１０４の暗号化／復号部４０２は、暗号化データD1を受け取ると、セッション鍵SK1を用いて復号し、コピー制御情報６０１及びコンテンツ鍵K６０３を生成する（ステップＳ５２９）。生成したコピー制御情報６０１及びコンテンツ鍵６０３をセキュア領域４０４へ記録する（ステップＳ５３０）。
【００５１】
記録再生装置１０２の制御部２０９は、情報記録部２０３からコンテンツ鍵K６０３を消去する（ステップＳ５３１）。
読出／書込部２１１は、コンテンツ記録部２０４から暗号化コンテンツEC4を読み出し、メモリカード１０４へ出力する（ステップＳ５３２）。
記録制御部４０６は、暗号化コンテンツEC4を受け取り、データ領域４０５に記録する（ステップＳ５３３）。
【００５２】
制御部２０９は、コンテンツ記録部２０４から暗号化コンテンツEC4を消去し（ステップＳ５３４）、処理を終了する。
（２）暗号化コンテンツEC4を、コンテンツ記録部２０４からメモリカード１０４へ移動する場合の、各メモリ内のデータの状態について、図６，７を参照して説明する。
図６（ａ）は、移動処理の開始時点の状態を示す。記録再生装置１０２の情報記録部２０３に、コピー制御情報６０１、利用フラグ６０２及びコンテンツ鍵K６０３が記録されており、コンテンツ記録部２０４に、暗号化コンテンツEC2及び暗号化コンテンツEC4が記録されている状態を示す。なお、利用フラグ６０２は、「利用可能状態」を示す「１」である。
【００５３】
次に、図６（ｂ）は、上記ステップＳ５２６の終了時点を示す。利用フラグ６０２は「利用不可能状態」を示す「０」であり、コンテンツ鍵K６０３は利用できない。
図６（ｃ）は、ステップＳ５３０の終了時点を示す。メモリカード１０４のセキュア領域４０４に、コピー制御情報６０１及びコンテンツ鍵K６０３が記録される。
図６（ｄ）は、ステップＳ５３１の終了時点を示す。情報記録部２０３から、コピー制御情報６０１、利用フラグ６０２及びコンテンツ鍵K６０３が消去された状態を示す。
【００５４】
図７（ｅ）は、ステップＳ５３２の終了時点を示す。暗号化コンテンツEC4がデータ領域４０５に記録された状態であり、メモリカード１０４内に、暗号化コンテンツEC4と、それを復号できるコンテンツ鍵Kのペアが存在する。
図７（ｆ）は、ステップＳ５３４で、コンテンツ記録部２０４から暗号化コンテンツEC4が消去された状態を示す。
【００５５】
以上により、暗号化コンテンツEC4とそれを復号可能なコンテンツ鍵Kとのペアが、記録再生装置１０２及びメモリカード１０４の両方に同時に存在することは無く、例え、ステップＳ５０３の終了時、つまり、コンテンツ鍵Kがメモリカード１０４にコピーされた状態で電源断若しくはメモリカード１０４を記録再生装置１０２から不正に引き抜くことなどが行われたとしても、暗号化コンテンツEC4とそれを復号可能なコンテンツ鍵Kとが同時に2セット存在することが無い。また、どのタイミングで電源断が起こっても、記録再生装置１０２及びメモリカード１０４の何れかにおいて、コンテンツ鍵Kが存在するため、移動元と移動先との両方でコンテンツ鍵Kが共に損なわれることが無い。
【００５６】
２．３  暗号化コンテンツEC4の元の記録再生装置への移動
（１）暗号化コンテンツEC4を、メモリカード１０４からコンテンツ記録部２０４へ移動する場合の動作について、図８，９を参照して説明する。
入力部２１６からユーザの操作によって、暗号化コンテンツEC4をメモリカード１０４から記録再生装置１０２に移動することを示す入力を受け付けると、認証部２１２は、認証部４０１との間で相互認証を行う（ステップＳ５５１）。認証結果が失敗の場合（ステップＳ５５２及び５５３でNO）、以降の処理を中止し、終了する。
【００５７】
認証結果が成功の場合（ステップＳ５５２及び５５３でYES）、認証部２１２及び認証部４０１は、それぞれセッション鍵SK2を生成し、暗号化／復号部２１３又は暗号化／復号部４０２へ出力する。
メモリカード１０４の暗号化／復号部４０２は、セッション鍵SK2を受け取り、セキュア領域４０４からコピー制御情報を読み出し、セッション鍵SK2を用いて暗号化し、暗号化コピー制御情報を生成する（ステップＳ５５４）。暗号化コピー制御情報を記録再生装置１０２へ出力する。
【００５８】
暗号化／復号部２１３は、暗号化コピー制御情報を受け取り、セッション鍵SK2を用いて復号し、コピー制御情報を生成する（ステップＳ５５５）。生成したコピー制御情報を判定部２１０へ出力する。
判定部２１０は、読出／書込部２１１を介してコピー制御情報を受け取り、移動可能であるか否かを判定する（ステップＳ５５６）。移動不可能であると判定した場合（ステップＳ５５６でNO）、以降の処理を中止して終了する。
【００５９】
判定結果が移動可能であることを示す場合（ステップＳ５５６でYES）、以降の処理を継続する。メモリカード１０４の暗号化／復号部４０２は、セキュア領域からコピー制御情報及びコンテンツ鍵Kを読み出し、セッション鍵SK2を用いて暗号化し、暗号化データD2を生成する（ステップＳ５５７）。生成した暗号化データD2を記録再生装置１０２へ出力する（ステップＳ５５８）。
【００６０】
暗号化／復号部２１３は、暗号化データD2を受け取ると（ステップＳ５５９）、セッション鍵SK2を用いて復号し、コピー制御情報６０１及びコンテンツ鍵K６０３を生成する（ステップＳ５６０）。生成したコピー制御情報、利用フラグ「０」及びコンテンツ鍵Kを情報記録部２０３へ記録する（ステップＳ５６１）。
メモリカード１０４の記録制御部４０６は、セキュア領域４０４から、コピー制御情報６０１及びコンテンツ鍵K６０３を消去する（ステップＳ５６２）。
【００６１】
メモリカード１０４からコンテンツ鍵Kが消去されると、制御部２０９は、利用フラグを「１」にする（ステップＳ５６３）。
また、記録制御部４０６は、データ領域４０５から暗号化コンテンツEC4を読み出し、記録再生装置１０２へ出力する（ステップＳ５６４）。
読出／書込部２１１は、メモリカード１０４から読み出された暗号化コンテンツEC4を入出力部２１７を介して取得し、コンテンツ記録部２０４に書き込む（ステップＳ５６５）。
【００６２】
記録制御部４０６は、データ領域４０５から暗号化コンテンツEC4を消去する（ステップＳ５６６）。
（２）暗号化コンテンツEC4を、メモリカード１０４からコンテンツ記録部２０４へ移動する場合の、各メモリ内のデータの状態について、図１０，１１を参照して説明する。
図１０（ａ）は、処理開始時の状態を示す。情報記録部２０３には、何も記録されておらず、コンテンツ記録部２０４には、暗号化コンテンツEC2が記録されている。また、メモリカード１０４のセキュア領域４０４には、コピー制御情報６０１及びコンテンツ鍵K６０３が記録されており、データ領域４０５には、暗号化コンテンツEC4が記録されている。
【００６３】
次に、図１０（ｂ）は、ステップＳ５６１の終了時点を示し、コピー制御情報６０１、利用フラグ「０」及びコンテンツ鍵K６０３が情報記録部２０３に書き込まれる。利用フラグが「０」のため、この時点でコンテンツ鍵K６０３は、利用できない。
また、図１０（ｃ）は、ステップＳ５６２で、セキュア領域４０４からコピー制御情報及びコンテンツ鍵Kが消去された状態である。
【００６４】
図１０（ｄ）は、ステップＳ５６３で利用フラグを「１」にし、コンテンツ鍵Kを「利用可能状態」にした状態を示す。
図１１（ｅ）は、ステップＳ５６４でデータ領域４０５から暗号化コンテンツEC4を読み出して、コンテンツ記録部２０４に書き込んだ状態を示す。
図１１（ｆ）は、ステップＳ５６６で、データ領域４０５から暗号化コンテンツEC4を消去した状態を示す。
【００６５】
以上により、暗号化コンテンツEC4の移動が完了する。これにより、上記（１）の移動の場合と同様に、暗号化コンテンツEC4とコンテンツ鍵Kとが２セット存在することも無く、また、電源断などが起こっても、コンテンツ鍵Kを失うことはない。
２．３  コンテンツの再生
暗号化コンテンツEC2を再生する場合の動作について、図１２を参照して説明する。
【００６６】
入力部２１６が受け付けるユーザの入力により、復号部２１４は、コンテンツ記録部２０４から暗号化コンテンツEC2を読み出し（ステップＳ５８１）、情報記録部２０３からコンテンツ鍵K６０３を読み出す（ステップＳ５８２）。
制御部２０９は、コンテンツ鍵K６０３が読み出されると、利用フラグ６０２を「０」にし、コンテンツ鍵K６０３を「利用不可能状態」にする（ステップＳ５８３）。
【００６７】
復号部２１４は、コンテンツ鍵K６０３を用いて、暗号化コンテンツEC2を復号し、コンテンツC2を生成する（ステップＳ５８４）。復号したコンテンツC2を再生部２１５へ出力する。
再生部２１５は、コンテンツC2から映像信号や音声信号を生成し、モニタ１２及びスピーカ１３へ出力し、コンテンツC2を再生する（ステップＳ５８５）。
【００６８】
また、コンテンツC2の再生が終了すると（ステップＳ５８６）、制御部２０９は、利用フラグを「１」にし、コンテンツ鍵K６０３を「利用可能状態」にする（ステップＳ５８７）。
（実施の形態２）
以下、本発明の実施の形態２について図面を用いて詳細に説明する。
３．  著作物保護システム１ｂの構成
著作物保護システム１ｂは、図１３に示すように、コンテンツ供給装置１０１、記録再生装置１０２ｂ、記録再生装置１０３ｂ、メモリカード１０４ｂ、モバイル機器１０５、モニタ１２及びスピーカ１３から構成される。
【００６９】
実施の形態１と同様に、記録再生装置１０２ｂは、モニタ１２及びスピーカ１３を接続し、コンテンツC2を出力して視聴することが出来る。
実施の形態１の著作物保護システム１では、コンテンツ鍵Kを用いて、コンテンツC2及び変換後のコンテンツC4を暗号化するとしたが、これらのコンテンツをそれぞれ別の鍵を用いて暗号化する場合について、本実施の形態２において説明する。
【００７０】
以下、実施の形態１と異なる部分について説明する。
３．１  記録再生装置１０２ｂ
記録再生装置１０２ｂは、図１４に示すように、受信部２０１、判定部２０２、情報記録部２０３ｂ、コンテンツ記録部２０４ｂ、変換部２０５、暗号化部２０６ｂ、暗号化部２０７ｂ、鍵生成部２０８ｂ、制御部２０９ｂ、判定部２１０、読出／書込部２１１ｂ、認証部２１２、暗号化／復号部２１３、復号部２１４、再生部２１５、入力部２１６及び入出力部２１７から構成される。
【００７１】
なお、受信部２０１、判定部２０２、変換部２０５、判定部２１０、読出／書込部２１１ｂ、認証部２１２、暗号化／復号部２１３、復号部２１４、再生部２１５、入力部２１６及び入出力部２１７は、実施の形態１と同様の構成のため、説明を省略する。
（１）鍵生成部２０８ｂ
鍵生成部２０８ｂは、コンテンツ鍵KA及びコンテンツ鍵KBを生成する。コンテンツ鍵KA及びコンテンツ鍵KBは、それぞれ異なる鍵データであり、コンテンツ鍵KAは、コンテンツC2の暗号化及び復号に用いられ、コンテンツ鍵KBは、変換後のコンテンツC4の暗号化及び復号に用いられる。
【００７２】
鍵生成部２０８ｂは、生成したコンテンツ鍵KA６０６及びコンテンツ鍵KB６０７を、制御部２０９ｂへ出力する。
（２）制御部２０９ｂ
制御部２０９ｂは、コンテンツ鍵KA及びKBを受け取ると、それぞれ利用フラグ６０４及び６０５と対応付けて、コンテンツ鍵KA６０６及びコンテンツ鍵KB６０７として記録する。この場合、利用フラグ６０４及び６０５は、「１」である。
【００７３】
また、制御部２０９ｂは、暗号化コンテンツEC4Bをメモリカード１０４ｂへ移動する際、読出／書込部２１１ｂがコンテンツ鍵KB６０５を読み出すと、利用フラグ６０４及び６０５を「０」にし、利用不可能状態にする。
また、暗号化コンテンツEC4Bをメモリカード１０４ｂから記録再生装置１０２ｂに移動する場合、メモリカード１０４ｂから受け取るコンテンツ鍵KBが情報記録部２０３ｂに書き込まれる場合、利用フラグ６０５として「０」を対応付けて記録する。メモリカード１０４ｂからコンテンツ鍵KBが消去されると、利用フラグ６０４及び６０５を「１」にし、利用可能状態にする。
【００７４】
（２）情報記録部２０３ｂ
情報記録部２０３ｂは、コピー制御情報６０１とコンテンツ鍵KA６０６及びコンテンツ鍵KB６０７とを記録する領域を備える。コンテンツ鍵KA６０６は、利用フラグ６０４と対応付けて記録され、コンテンツ鍵KB６０７は、利用フラグ６０５と対応付けて記録される。
【００７５】
（３）暗号化部２０６ｂ、暗号化部２０７ｂ
暗号化部２０６ｂは、コンテンツC2の暗号化処理を行う。情報記録部２０３ｂからコンテンツ鍵KA６０６を読み出し、コンテンツ鍵KA６０６を用いてコンテンツC2に暗号化アルゴリズムE1を施して暗号化し、暗号化コンテンツEC2Aを生成する。暗号化部２０６ｂは、生成した暗号化コンテンツEC2Aを、コンテンツ記録部２０４ｂに記録する。
【００７６】
暗号化部２０７ｂは、変換部２０５で変換されて生成されたコンテンツC4の暗号化処理を行う。情報記録部２０３ｂからコンテンツ鍵KB６０７を読み出し、コンテンツ鍵KB６０７を用いてコンテンツC4に暗号化アルゴリズムE1を施して暗号化し、暗号化コンテンツEC4Bを生成する。暗号化部２０７ｂは、生成した暗号化コンテンツEC4Bを、コンテンツ記録部２０４ｂに記録する。
【００７７】
（４）コンテンツ記録部２０４ｂ
コンテンツ記録部２０４ｂは、暗号化コンテンツEC2A６１３及び暗号化コンテンツEC4B６１４を記録する領域を備える。
３．２  メモリカード１０４ｂ
メモリカード１０４ｂは、図１５に示すように、認証部４０１、暗号化／復号部４０２、記憶部４０３ｂ、記録制御部４０６及び入出力部４０７から構成される。
【００７８】
なお、入出力部４０７、記録制御部４０６、認証部４０１及び暗号化／復号部４０２は、実施の形態１と同様の構成のため、説明を省略する。
記憶部４０３ｂは、セキュア領域４０４ｂ及びデータ領域４０５ｂから構成される。
セキュア領域４０４ｂは、コピー制御情報６０１、コンテンツ鍵KB６０７を記録する領域を備える。
【００７９】
データ領域４０５ｂは、暗号化コンテンツEC4B６１４を記録する領域を備える。
４．  著作物保護システム１ｂの動作
４．１  コンテンツC2の受信
コンテンツC2を受信し、記録する場合の動作について、図１６を参照して説明する。
なお、図１６において、実施の形態１と同様の処理を行う場合は、同一の符号を付している。他の図においても同様である。
【００８０】
ステップＳ５０１〜ステップＳ５０３は、実施の形態１と同様に処理し、鍵生成部２０８ｂは、コンテンツ鍵KA及びコンテンツ鍵KBを生成し（ステップＳ５０４ｂ）、制御部２０９ｂは、それぞれ利用フラグ「１」と対応付けて情報記録部２０３ｂに記録する（ステップＳ５０５ｂ）。
変換部２０５は、コンテンツC2を変換してコンテンツC4を生成し（ステップＳ５０６）、暗号化部２０７ｂへ出力する。暗号化部２０７ｂは、情報記録部２０３ｂからコンテンツ鍵KBを読み出し、コンテンツ鍵KBを用いてコンテンツC4を暗号化し、暗号化コンテンツEC4Bを生成する（ステップＳ５０７ｂ）。生成した暗号化コンテンツEC4Bをコンテンツ記録部２０４ｂへ記録する（ステップＳ５０８ｂ）。
【００８１】
また、暗号化部２０６ｂは、情報記録部２０３ｂからコンテンツ鍵KAを読み出し、読み出したコンテンツ鍵KAを用いてコンテンツC2を暗号化し、暗号化コンテンツEC2Aを生成する（ステップＳ５０９ｂ）。生成した暗号化コンテンツEC2Aをコンテンツ記録部２０４ｂに記録する。
４．２  暗号化コンテンツEC4Bをメモリカード１０４へ移動する場合
（１）暗号化コンテンツEC4Bをメモリカード１０４へ移動する場合の動作について、図１７を参照して説明する。
【００８２】
ステップＳ５２１〜ステップＳ５２４まで、実施の形態１と同様に処理し、読出／書込部２１１ｂは、コピー制御情報６０１及びコンテンツ鍵KBを読み出す（ステップＳ５２５ｂ）。
また、制御部２０９ｂは、各コンテンツ鍵に対応する利用フラグ６０４及び６０５を「０」にし、コンテンツ鍵KA及びコンテンツ鍵KBを利用不可能状態な状態にする（ステップＳ５２６ｂ）。
【００８３】
また、暗号化／復号部２１３は、セッション鍵SK1を用いて、コピー制御情報及びコンテンツ鍵KBを暗号化して暗号化データD1bを生成し（ステップＳ５２７ｂ）、メモリカード１０４ｂへ出力する（ステップＳ５２８ｂ）。
メモリカード１０４ｂの暗号化／復号部４０２ｂも同様に、セッション鍵SK1を用いて暗号化データD1bを復号し、コピー制御情報及びコンテンツ鍵KBを生成する（ステップＳ５２９ｂ）。生成したコピー制御情報及びコンテンツ鍵KBをセキュア領域４０４ｂに記録する（ステップＳ５３０ｂ）。
【００８４】
制御部２０９ｂは、コピー制御情報６０１及びコンテンツ鍵KBを消去する（ステップＳ５３１ｂ）。
読出／書込部２１１ｂは、コンテンツ記録部２０４ｂから暗号化コンテンツEC4Bを読み出し、入出力部２１７を介してメモリカード１０４ｂへ出力する（ステップＳ５３２ｂ）。
【００８５】
記録制御部４０６は、暗号化コンテンツEC4Bを受け取り、データ領域４０５ｂへ記録する（ステップＳ５３３ｂ）。
また、制御部２０９ｂは、コンテンツ記録部２０４ｂから暗号化コンテンツEC4Bを消去する（ステップＳ５３４ｂ）。
（２）ここで、上記暗号化コンテンツEC4Bをメモリカード１０４ｂへ移動する場合の、メモリ内のデータの移動について、図１８，１９を参照して説明する。なお、図１８及び１９では、記録再生装置１０２ｂの情報記録部２０３ｂ及びコンテンツ記録部２０４ｂと、メモリカード１０４ｂのセキュア領域４０４ｂ及びデータ領域４０５ｂとを示し、それぞれに記録されているデータを図示している。
【００８６】
図１８（ａ）は、移動処理を開始する時点の状態を示す。情報記録部２０３ｂには、コピー制御情報６０１、利用フラグ６０４、コンテンツ鍵KA６０６、利用フラグ６０５及びコンテンツ鍵KB６０７が記録されている。また、コンテンツ記録部２０４ｂには、暗号化コンテンツEC4B６１４及び暗号化コンテンツEC2A６１３が記録されている。
図１８（ｂ）で、利用フラグ６０４及び６０５は、「０」に変更される。これにより、コンテンツ鍵KA６０６及びKB６０７は、どちらも利用不可能状態になる。
【００８７】
図１８（ｃ）で、コピー制御情報６０１及びコンテンツ鍵KB６１４がセキュア領域４０４ｂに記録される。
図１８（ｄ）で、コピー制御情報６０１及びコンテンツ鍵KB６０７は、情報記録部２０３ｂから消去される。
図１９（ｅ）で、暗号化コンテンツEC4B６１４がデータ領域４０５ｂに記録される。この状態では、記録再生装置１０２ｂ内には、利用できるコンテンツと鍵とのペアは、存在しない。
【００８８】
図１９（ｆ）で、情報記録部２０４ｂの暗号化コンテンツEC4B６１４を消去し、移動が完了する。
これにより、実施の形態１の移動の場合と同様に、暗号化されたコンテンツとそれを復号可能なコンテンツ鍵とが２セット存在することが無く、また、電源断などが起こっても、コンテンツ鍵を失うことはない。
【００８９】
４．３  暗号化コンテンツEC4Bを記録再生装置１０２ｂへ戻す場合
（１）暗号化コンテンツEC4Bをメモリカード１０４ｂから記録再生装置１０２ｂへ移動し、元に戻す場合の動作について、図２０，２１を参照して説明する。
ステップＳ５５１〜ステップＳ５５６までは、実施の形態１と同様に処理する。
移動可能である場合（ステップＳ５５６でYES）、暗号化／復号部４０２ｂは、コピー制御情報及びコンテンツ鍵KBをセキュア領域４０４ｂから読み出し、セッション鍵SK2を用いて暗号化し、暗号化データD2bを生成する（ステップＳ５５７ｂ）。生成した暗号化データｂを記録再生装置へ出力する（ステップＳ５５８ｂ）。
【００９０】
暗号化／復号部２１３は、暗号化データD2bを取得し（ステップＳ５５９ｂ）、セッション鍵SK2を用いて復号し、コピー制御情報及びコンテンツ鍵KBを生成する（ステップＳ５６０ｂ）。
読出／書込部２１１ｂは、情報記録部２１３ｂにコピー制御情報及びコンテンツ鍵KBを書き込む（ステップＳ５６１ｂ）。
【００９１】
また、このとき制御部２０９ｂは、利用フラグ６０４及び６０５を「０」にし、利用不可能状態にする（ステップＳ５６２ｂ）。
記録制御部４０６ｂは、セキュア領域４０４ｂからコピー制御情報６０１及びコンテンツ鍵KBを消去する（ステップＳ５６３ｂ）。
制御部２０９ｂは、利用フラグ６０４及び６０５を「１」にし、利用可能状態にする（ステップＳ５６４ｂ）。
【００９２】
記録制御部４０６ｂは、データ領域４０５ｂから暗号化コンテンツEC4Bを読み出し、入出力部４０７を介して記録再生装置１０２ｂへ出力する（ステップＳ５６５ｂ）。
また、読出／書込部２１１ｂは、暗号化コンテンツEC4Bを取得し、コンテンツ記録部２０４ｂに書き込む（ステップＳ５６６ｂ）。
記録制御部４０６ｂは、データ領域４０５ｂから暗号化コンテンツEC4Bを消去する（ステップＳ５６７ｂ）。
【００９３】
（２）ここで、暗号化コンテンツEC4Bを記録再生装置へ移動する場合の、メモリ内の各データの状態について、図２２，２３を参照して説明する。
図２２（ａ）では、メモリカード１０４ｂのセキュア領域４０４ｂにコピー制御情報６０１及びコンテンツ鍵KB６０７が記録されており、データ領域４０５ｂに暗号化コンテンツEC4B６１４が記録されている。また、記録再生装置１０２ｂの情報記録部２０３ｂには、コンテンツ鍵KA６０６が記録されているが、利用フラグ６０４が「０」のため、この鍵を利用することは出来ない。また、コンテンツ記録部２０４ｂには、暗号化コンテンツEC2A６１３が記録されている。これは、コンテンツ鍵KA６０６が利用不可能であるため、復号できず、コンテンツを視聴できない状態である。
【００９４】
図２２（ｂ）で、コピー制御情報６０１及びコンテンツ鍵KB６０７が情報記録部２０３ｂへ記録される。ただし、利用フラグ６０４及び６０５が「０」であるため、これらの鍵を利用することは出来ない。
図２２（ｃ）では、セキュア領域４０４ｂからコピー制御情報６０１及びコンテンツ鍵KB６０７を消去する。これにより、メモリカード１０４ｂには、視聴可能なコンテンツと鍵とのペアが存在しない状態となる。
【００９５】
図２２（ｄ）で、利用フラグ６０４及び６０５は、「１」に変更される。これにより、コンテンツ鍵KA６０６及びKB６０７は利用可能となる。
図２３（ｅ）では、暗号化コンテンツEC4B６１４がコンテンツ記録部２０４ｂに記録される。
図２３（ｆ）では、データ領域４０５ｂから暗号化コンテンツEC4B６１４が消去され、暗号化コンテンツEC4B６１４の移動処理が完了する。
【００９６】
４．４  コンテンツC2の再生
コンテンツC2を再生する場合の動作について、図２４を参照して説明する。
復号部２１４は、コンテンツ記録部２０４ｂから暗号化コンテンツEC2Aを読み出し（ステップＳ５８１ｂ）、情報記録部２０３ｂからコンテンツ鍵KAを読み出す（ステップＳ５８２ｂ）。
【００９７】
制御部２０９ｂは、利用フラグ６０４及び６０５を「０」にし、コンテンツ鍵KA及びKBを利用不可能状態にする（ステップＳ５８３ｂ）。
復号部２１４は、コンテンツ鍵KAを用いて暗号化コンテンツEC2Aを復号してコンテンツC2を生成する（ステップＳ５８４ｂ）。生成したコンテンツC2を再生部２１５へ出力する。
【００９８】
再生部２１５は、コンテンツC2の再生処理を行う（ステップＳ５８５）。
再生部２１５による再生処理が終了すると（ステップＳ５８６）、制御部２０９ｂは、利用フラグ６０４及び６０５を「１」に戻し、コンテンツ鍵KA及びKBを利用可能状態にする。
以上のようにして、コンテンツC2の再生を行う。このように、コンテンツC2を再生する場合に、各利用フラグを「０」にして利用不可能状態にすることによって、同時に両方のコンテンツを利用することが不可能となり、どちらか一方のコンテンツが再生されることになる。
５．  その他の変形例
なお、本発明を上記の実施の形態に基づいて説明してきたが、本発明は、上記の実施の形態に限定されないのはもちろんである。以下のような場合も本発明に含まれる。
（１）実施の形態１では記録再生装置１０２の制御部２０９が利用フラグを用いてコンテンツ鍵Kを利用可能状態又は利用不可能状態に制御していたが、メモリカード１０４の記録制御部４０６が利用フラグを制御し、セキュア領域に記録するコンテンツ鍵Kと対応付けて記録するとしても良い。
【００９９】
（ａ）メモリカード１０４の記録制御部４０６が利用フラグを制御する場合の動作について、図２５を参照して説明する。
ステップＳ５２１〜５２５は、実施の形態１と同様に処理する。
暗号化／復号部２１３は、ステップＳ５２２の相互認証で共有したセッション鍵SK2ｃを用いてコピー制御情報及びコンテンツ鍵Kを暗号化して暗号化データD1cを生成し（ステップＳ５２７ｃ）、生成した暗号化データD1cをメモリカード１０４へ出力する（ステップＳ５２８ｃ）。
【０１００】
メモリカード１０４の暗号化／復号部４０２は、セッション鍵SK1ｃを用いて暗号化データD1cを復号し、コピー制御情報及びコンテンツ鍵Kを生成する（ステップＳ７０１）。生成したコピー制御情報及びコンテンツ鍵Kをセキュア領域４０４に記録する。このとき、記録制御部４０６は、コンテンツ鍵Kに利用フラグとして「０」を対応付けて記録する（ステップＳ７０２）。
【０１０１】
記録再生装置１０２は、コピー制御情報６０１及びコンテンツ鍵K６０３を消去する（ステップＳ５３１）。
メモリカード１０４の記録制御部４０６は、利用フラグを「１」にし、利用可能状態にする（ステップＳ７０３）。
以降、読出／書込部２１１は、実施の形態１と同様に、コンテンツ記録部２０４から暗号化コンテンツEC4を読み出して出力し（ステップＳ５３２）、メモリカード１０４ｂの記録制御部４０６は、データ領域４０５に書き込む（ステップＳ５３３）。
【０１０２】
また、記録再生装置１０２の制御部２０９は、コンテンツ記録部２０４から暗号化コンテンツEC4を消去する（ステップＳ５３４）。
以上のようにしてメモリカード１０４へ暗号化コンテンツEC4を移動する。また、その場合の各記録領域のデータの状態について、図２６，２７を参照して説明する。
図２６（ａ）は、処理開始時点の状態であり、情報記録部２０３にコピー制御情報６０１及びコンテンツ鍵K６０３が記録されており、コンテンツ記録部２０４に暗号化コンテンツEC2６１１及びEC4６１２が記録されている。
【０１０３】
図２６（ｂ）は、ステップＳ７０２が終了した状態を示す。メモリカード１０４のセキュア領域４０４に、コピー制御情報６０１と、利用フラグ６０８として「０」及びコンテンツ鍵K６０３とが記録される。
図２６（ｃ）は、ステップＳ５３１が終了した状態を示す。
図２６（ｄ）は、ステップＳ７０３が終了した状態を示す。
【０１０４】
図２７の（ｅ）は、ステップＳ５３２終了時点、図２７（ｆ）は、ステップＳ５３３終了時点の状態を示す。
（ｂ）上記（ａ）のようにしてメモリカード１０４に移動した暗号化コンテンツEC4を記録再生装置１０２に移動する場合の動作について、図２８を参照して説明する。
ステップＳ５５１〜５５６までは実施の形態１と同様に処理する。
【０１０５】
ステップＳ５５７で移動可能である場合、暗号化／復号部４０２は、セキュア領域４０４からコピー制御情報６０１及びコンテンツ鍵K６０３を読み出す（ステップＳ７１１）。記録制御部４０６は、利用フラグ６０２を「０」にし、コンテンツ鍵Kを利用不可能状態にする（ステップＳ７１２）。暗号化／復号部４０２は、コピー制御情報６０１及びコンテンツ鍵K６０３を、ステップＳ５５１の相互認証で共有したセッション鍵SK2を用いて暗号化し、暗号化データD2cを生成する（ステップＳ５５７ｃ）。生成した暗号化データD2cを出力する（ステップＳ５５８ｃ）。
【０１０６】
暗号化／復号部２１３は、暗号化データD2cを取得し（ステップＳ５５９）、セッション鍵SK2を用いて復号し（ステップＳ５６０）、コピー制御情報６０１及びコンテンツ鍵Kを生成する。生成したコピー制御情報６０１及びコンテンツ鍵K６０３を情報記録部２０３へ記録する（ステップＳ７１３）。
メモリカード１０４の記録制御部４０６は、セキュア領域４０４からコピー制御情報６０１、利用フラグ６０８及びコンテンツ鍵K６０３を消去する（ステップＳ７１４）。また、データ領域４０５から暗号化コンテンツEC4を読み出して記録再生装置１０２へ出力し（ステップＳ５６４）、読出／書込部２１１は、暗号化コンテンツEC4を取得して、コンテンツ記録部２０４へ記録する（ステップＳ５６５）。
【０１０７】
記録制御部４０６は、データ領域４０５から暗号化コンテンツEC4を消去する（ステップＳ５６６）。
以上のようにして、暗号化コンテンツEC4を記録再生装置１０２へ移動する。また、その場合の各記録領域のデータの状態について、図３０，３１を参照して説明する。
図３１（ａ）は、処理開始時点の状態を示す。
【０１０８】
図３１（ｂ）は、ステップＳ７１２終了時点の状態を示す。利用フラグ６０８が「１」になり、コンテンツ鍵Ｋ６０３は利用不可能状態である。
図３１（ｃ）は、ステップＳ７１３終了時点の状態を示し、記録再生装置１０２の情報記録部２０３にコピー制御情報６０１及びコンテンツ鍵K６０３が記録される。
図３１（ｄ）は、ステップＳ７１４終了時点の状態を示し、図３２（ｅ）、（ｆ）は、ステップＳ５６４及びステップＳ５６５終了時点を示す。
【０１０９】
このようにして、メモリカード１０４の記録制御部４０６が利用フラグを管理する場合処理される。
なお、記録再生装置１０２及びメモリカード１０４の制御部がそれぞれ利用フラグによって、利用状態を制御する場合、図５のステップＳ５２１〜５２９と同様に処理したのち、図２５のステップＳ７０１〜５３３と同様に処理する。
【０１１０】
また、メモリカード１０４から記録再生装置１０２に移動する場合、図８及び２８のステップＳ５５１〜５５６まで同様に処理し、図２８のステップＳ７１１〜５６０まで同様に処理する。その後、図８のステップＳ５６１、図２９のステップＳ７１４、図９のステップＳ５６３〜５６５のように処理する。
また、実施の形態２の場合も同様に、メモリカード１０４ｂの記録制御部４０６が利用フラグを用いて利用状態を制御するとしても良いし、記録再生装置１０２ｂ及びメモリカード１０４ｂの両方の制御部が利用フラグを用いて制御するとしても良い。
（２）実施の形態１及び２では、コンテンツC2は、デジタル放送としてコンテンツ供給装置１０１から受信するとしたが、本発明はこの限りではない。
【０１１１】
例えば、地上波、或いは衛星などを介した放送、インターネットなどを介した通信、DVD、BDなどの記録メディアを介した供給方法など、他の供給方法を用いても良い。
（３）受信するコンテンツC2やコピー制御情報は、暗号化されているとしても良い。この場合、判定部２０２で判定する前に、暗号化されたコンテンツC2及びコピー制御情報を復号するものとする。
（４）受信したコンテンツC2は、MPEG2からMPEG4のデータへ変換するとしたが、他の変換方法を用いてもよいのは勿論である。また、一つの変換を施したコンテンツC4を生成するとしたが、複数の異なる変換を施したコンテンツを複数生成するとしても良い。暗号化して記録したコンテンツは、一つ又は複数を他の記録再生装置又は記録媒体へ移動するとしても良く、複数生成されたコンテンツは、実施の形態１のように同一の鍵で暗号化されても良いし、実施の形態２のように、それぞれ異なる鍵で暗号化されるとしても良い。異なる鍵で暗号化される場合、ある一つのコンテンツを再生する場合は、そのコンテンツの復号に用いる鍵を読み出した後、全ての鍵は利用不可能状態にし、同時に２以上のコンテンツが再生されないようにする。なお、別途特別に、両コンテンツの利用が許可されている場合はこの限りではない。
【０１１２】
また、受信したコンテンツC2を圧縮せずに暗号化しているが、コンテンツC2自身を変換して記録するとしても良い。
（５）コンテンツ鍵K、又はコンテンツ鍵KA及びKBは、記録再生装置１０２又は１０２ｂ内で生成されるとしたが、他の装置が生成した鍵データを取得するとしても良い。この場合、予め情報記録部２０３に鍵データを記録しておくほか、必要に応じて取得するとしても良い。
（６）メモリカード１０４の認証部４０１、暗号化／復号部４０２、記録制御部４０６は、CPRM  SD規格により決められた方式に従って処理を実行する。また、実施の形態１及び２では、メモリカード１０４に記録するとしたが、他の装置に移動する場合にも、本発明を適用することが出来る。
【０１１３】
他の装置としては、記録再生装置１０２と同様の他の記録再生装置に移動する場合にも利用できる。また、携帯電話機やモバイル機などのように、HDDを内臓した記録再生装置より記録容量が少ない機器に移動する場合などにも有効である。
また、実施の形態１及び２では、暗号化コンテンツEC4を移動するとしたが、暗号化コンテンツEC2を移動するとしても良い。
【０１１４】
なお、本実施の形態では、メモリカード１０４として説明したが、変換後の暗号化コンテンツを記録する記録媒体は、可搬型の記録媒体であれば他の記録媒体であっても良い。他の記録媒体が用いられる場合、機器認証などの処理は、その記録媒体に適用される著作権保護技術を用いて行われる。
（７）記録再生装置１０２から他の装置へコンテンツを移動する場合、認証部による機器認証及び暗号化／復号部の暗号化、復号処理は、DTCP規格により決められた方式に従って処理を実行するとしても良い。また、他の機器認証を用いるとしても良い。
（８）コンテンツを移動する場合、移動もとの記録再生装置又はメモリカードからデータを消去するとしたが、本発明はこれに限定されない。例えば、メモリカードに記録された暗号化コンテンツは消去せずに、復号に必要なコンテンツ鍵だけを消去して、暗号化コンテンツを復号出来ない利用不可能状態にするとしても良い。また、データの消去ではなく、データの一部を破壊して利用できない状態にする構成であっても良い。また、データを不正にアクセスできない利用不可能状態にする構成であっても良い。
（９）実施の形態１では、記録再生装置１０２からメモリカード１０４へ暗号化コンテンツを移動する場合に、ステップＳ５３１でコンテンツ鍵Kを消去し、ステップＳ５３４で暗号化コンテンツEC4を消去するとしたが、消去しない構成であっても良い。
【０１１５】
ステップＳ５２６で利用フラグを「０」で、利用不可能状態にしており、コンテンツ鍵Kを記録再生装置１０２にて利用出来ない状況に変わりなく、コンテンツ鍵Kが利用出来ないので、暗号化コンテンツEC4を消去しなくても、暗号化コンテンツEC4を再生できない。
これにより、記録再生装置１０２からメモリカード１０４へ移動したコンテンツを元の記録再生装置１０２へ再移動する場合、コンテンツ鍵Kや暗号化コンテンツEC4の消去や再書き込みの手間を省くことが出来るというメリットがある。
【０１１６】
なお、実施の形態２のコンテンツ鍵KB及び暗号化コンテンツEC4Bの場合も同様である。
（１０）上記実施の形態１、及び上記実施の形態２において、記録再生装置が、コンテンツの移動処理における状態遷移を記憶する記憶部を備える構成であってもよい。
記録再生装置は、コンテンツの移動が正しく完了しなかった場合、前記記憶部に記憶する状態遷移に基づいて、コンテンツの移動処理を続けて行うか、コンテンツの移動処理を最初からやり直すかを判断する構成であってもよい。
【０１１７】
さらに、記録再生装置は、前記記憶部に記憶する状態遷移を利用者に通知する通知部を備える構成であってもよい。その場合、正しく完了しなかった旨を利用者に通知して、利用者からの指示に基づいて、コンテンツの移動処理を続けるか、あるいはコンテンツの移動処理を最初かやり直すかを決定する構成であってもよい。
（１１）記録再生装置又はメモリカードにおいて、コンテンツ鍵を移動後に消去する場合、コンテンツ鍵の移動先がコンテンツ鍵の移動元に対して、正しく記録されたことを通知し、移動元は、通知を受け取り、受信を確認した後に消去するとしても良い。
（１２）メモリカード１０４から記録再生装置１０２へ暗号化コンテンツを移動する際に、移動対象となるコンテンツが、当該記録再生装置１０２から確かにメモリカード１０４へ移動したコンテンツであることを確認してから移動するとしても良い。以下に、その方法を述べる。
【０１１８】
（ａ）コンテンツに識別子を付与する場合
各コンテンツには当該コンテンツを一意に識別するための識別子が付与されており、記録再生装置は、暗号化コンテンツをメモリカードへ移動する際、移動した暗号化コンテンツの識別子を記録しておく。
メモリカード１０４に移動させた暗号化コンテンツを元の記録再生装置１０２に戻す場合、前記記録再生装置１０２は、自身が保持する識別子と、メモリカードに記録されている暗号化コンテンツの識別子とが一致するか否かを判定して、一致する場合、移動対象となる暗号化コンテンツは、確かに当該記録再生装置からメモリカードへ移動処理を行ったものであると判断し、暗号化コンテンツを記録再生装置に移動させることを許可する。
【０１１９】
（ｂ）コンテンツに識別子を付与し、メモリカードに識別情報を付与する場合
記録再生装置に記録されている各暗号化コンテンツにはそれぞれ固有の識別子が付与されており、メモリカードにも、固有の識別情報が付与されている。暗号化コンテンツをメモリカードへ移動する際に、記録再生装置は、移動対象となる暗号化コンテンツの識別子と、移動先のメモリカードの識別情報とを対応付けて、履歴情報として記録し、移動処理を行う。
【０１２０】
その後、メモリカードから記録再生装置へ暗号化コンテンツを移動する際に、記録再生装置は、移動元のメモリカードからそのメモリカードの識別情報と、移動対象である暗号化コンテンツの識別子とを取得し、記録再生装置が保持する履歴情報と一致するか否かを確認する。
一致する場合、移動対象である暗号化コンテンツは、確かに当該記録再生装置からメモリカードへ移動処理を行ったものであると判断し、移動処理を進める。そして、メモリカードから記録再生装置への移動処理が完了すると、履歴情報を消去する。
【０１２１】
一方、確認の結果、一致しない場合、移動処理を禁止する。この場合、移動対象となる暗号化コンテンツは、当該記録再生装置から移動されたものではないため、移動処理を行ったとしても、高品質のコンテンツを復元できない旨の警告をモニタに表示し、ユーザに提示する。そして、移動処理を中止するか、或いは移動処理を続行するかをユーザに選択させるようにしても良い。
【０１２２】
なお、記録再生装置から移動する暗号化コンテンツが複数存在する場合にも、この技術は有効である。この場合、移動対象である暗号化コンテンツの識別子と、移動先のメモリカードの識別情報とから成る組を複数記録する。メモリカードから記録再生装置へ移動する際には、メモリカードから取得する識別子と識別情報とから成る組が履歴情報に存在するか否かを判断する。
【０１２３】
（ｃ）コンテンツ識別子と記録再生装置の識別情報とをメモリカードに記録する場合
各暗号化コンテンツは固有の識別子を付与されており、記録再生装置にも固有の識別情報が付与されている。
そして、記録再生装置からメモリカードへ暗号化コンテンツを移動する際に、移動対象である暗号化コンテンツの識別子と、移動元の記録再生装置の識別情報とを含む履歴情報をメモリカードに記録する。記録再生装置は、自身の識別情報と、移動した暗号化コンテンツの識別子とを保持している。
【０１２４】
次に、メモリカードから記録再生装置へ暗号化コンテンツを移動する際に、記録再生装置は、メモリカードから履歴情報を取得し、履歴情報に含まれる識別子と識別情報とが、記録再生装置に保持する暗号化コンテンツの識別子、及び当該記録再生装置の識別情報と一致するか否かを確認する。
一致する場合、移動対象となる暗号化コンテンツは、確かに当該記録再生装置からメモリカードへ移動処理を行ったものであると判断し、移動処理を進める。そして、メモリカードから記録再生装置への移動処理が完了すると、メモリカードから履歴情報を消去する。
【０１２５】
一方、確認の結果、一致しない場合、移動処理を禁止する。この場合、移動対象となる暗号化コンテンツは、当該記録再生装置から移動されたものではないため、移動処理を行ったとしても、高品質のコンテンツを復元できない旨の警告をモニタに表示し、ユーザに提示する。そして、移動処理を中止するか、或いは移動処理を続行するかをユーザに選択させるようにしても良い。
【０１２６】
なお、移動対象となるコンテンツが複数の場合、移動したコンテンツの識別子を複数記録しておき、再移動の際には、取得した履歴情報に含まれる識別子と同一の識別子が記録されているか否かを判断する。
（ｄ）記録再生装置の識別情報をメモリカードに記録する場合
暗号化コンテンツには、識別子を付与せず、移動元の記録再生装置を一意に識別する識別情報が付与されている。暗号化コンテンツをメモリカードへ移動する場合、記録再生装置は、暗号化コンテンツに識別情報を対応付けてメモリカードへ記録する。
【０１２７】
メモリカードから再移動する場合、記録再生装置は、移動対象の暗号化コンテンツに付与されている識別情報を取得し、取得した識別情報と、自身の識別情報とが一致するか否かを確認する。一致する場合、移動対象となる暗号化コンテンツは、確かに当該記録再生装置からメモリカードへ移動処理を行ったものであると判断し、暗号化コンテンツを記録再生装置に再移動させることを許可する。そして、再移動処理が完了すると、メモリカードから識別情報を消去する。
【０１２８】
このような処理を行うことで、メモリカードから記録再生装置に移動する際に、著作権を保護しつつ、高品質のコンテンツを復元することを、より確実に行うことが可能となる。
（１３）実施の形態１及び２では、一つのコンテンツC2を受信する場合を例として説明したが、本発明がこれに限定されないのは勿論である。
【０１２９】
複数のコンテンツを受信して記録するとしても良く、その場合、各コンテンツはIDを付されており、それぞれのコンテンツに対するコピー制御情報と共に受信する。コピー制御情報及び変換後のコンテンツを記録する際には、対応するコンテンツのIDを対応付けて記録する。また、それぞれのコンテンツの暗号化に用いる鍵が異なる場合には、各鍵も、IDを付して記録する。
（１４）実施の形態１及び２では、受信したコンテンツを予め変換して記録しているが、受信して変換していないコンテンツを暗号化して保持し、メモリカードへ移動するときに、暗号化コンテンツを復号して変換し、変換後のコンテンツを暗号化してメモリカードへ記録するとしても良い。
（１５）実施の形態１で、メモリカード１０４に記録した暗号化コンテンツEC4を記録再生装置１０２に再移動する場合、図８のステップＳ５５４、S５５５でコピー制御情報６０１を記録再生装置１０２に送信し、ステップＳ５５６で移動可能か判定し、移動可能であると判定した場合に、以降の移動処理を行うとしたが、本発明はこれに限定されない。
【０１３０】
（ａ）例えば、ステップＳ５５６で移動可能か否か判定を行った後、移動可能であれば、記録再生装置１０２はコピー制御情報６０１を保持しておく。メモリカード１０４は、ステップＳ５５７，５５８の代わりに、コンテンツ鍵K６０３のみを暗号化し、暗号化コンテンツ鍵Kを記録再生装置１０２へ出力する。記録再生装置１０２は、暗号化コンテンツ鍵Kを取得して復号し、コンテンツ鍵K６０３を得る。その後、ステップＳ５６１以降の処理を行う。
【０１３１】
（ｂ）また、メモリカード１０４は、ステップＳ５５４でコピー制御情報６０１と、更にコンテンツ鍵K６０３とを共に暗号化して生成した暗号化データD2を記録再生装置１０２へ送信するとしても良い。この場合、ステップＳ５５５の代わりに、記録再生装置１０２は、暗号化データD2を復号してコピー制御情報６０１及びコンテンツ鍵K６０３を生成する。また、ステップＳ５５６の判定を行い、移動可能な場合、ステップＳ５５７〜５６０の処理は行わずに、ステップＳ５６１以降の処理を行う。
（１６）実施の形態１では、情報記録部２０３にコピー制御情報、利用フラグ及びコンテンツ鍵Kを記録し、コンテンツ記録部２０４に、暗号化コンテンツEC2及びEC4を記録するとしたが、本発明はこれに限定されない。
【０１３２】
例えば、情報記録部２０３に、利用フラグとコンテンツ鍵Kとを記録し、コンテンツ記録部２０４には、暗号化コンテンツと共に、コンテンツ鍵Kを用いて暗号化されたコピー制御情報を記録するとしても良い。このとき、暗号化コピー制御情報と暗号化コンテンツEC2又はEC4とを一体のデータとして記録するとしても良い。
また、例えば、コピー制御情報、利用フラグ、及びコンテンツ鍵Kを暗号化するための暗号化鍵を別途生成し、暗号化鍵を情報記録部２０３に記録し、コンテンツ記録部２０４に、暗号化鍵で暗号化されたコピー制御情報、利用フラグ、及びコンテンツ鍵Kを記録する構成としても良い。
【０１３３】
なお、実施の形態２の場合も同様である。
（１７）実施の形態１及び２において、記録再生装置とメモリカードとの間でセキュアにデータの送受信を行う場合、共有したセッション鍵を用いて暗号化して送受信しているが、本発明はこれに限定されない。記録再生装置とメモリカードとの間でコンテンツ鍵などを安全に転送できれば、他の技術を用いても構わない。
（１８）実施の形態１及び２では、利用フラグを用いて利用可能状態と、利用不可能状態とを判断するとしたが、他の技術を用いても良い。他の技術は、コンテンツ鍵が利用不可能な状態になればよく、ソフトウェア的に利用不可能であると判断できる状態にするものでも良いし、ハードウェア的にコンテンツ鍵へのアクセスを切断するものであっても良い。
（１９）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１３４】
また、本発明は、前記コンピュータプログラム又は前記デジタル信号をコンピュータ読み取り可能な記録媒体、例えば、フレキシブルディスク、ハードディスク、CD-ROM、MO、DVD、DVD-ROM、DVD-RAM、BD（Blu-rayDisc）、半導体メモリなど、に記録したものとしてもよい。また、これらの記録媒体に記録されている前記コンピュータプログラム又は前記デジタル信号であるとしてもよい。
【０１３５】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１３６】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２０）上記実施の形態及び上記変形例をそれぞれ組み合わせるとしてもよい。
６．まとめ
（１）以上説明したように、本発明は、コンテンツの著作権を保護しつつ、コンテンツの利用権を記録媒体へ移動させる記録装置であって、コンテンツを暗号化して生成される第1暗号化コンテンツと、前記コンテンツに不可逆圧縮を施して変換し、変換後のコンテンツを暗号化して生成される第2暗号化コンテンツと、それらのコンテンツの復号に用いるコンテンツ鍵とを記憶する記憶手段と、前記コンテンツ鍵を外部の記録媒体に記録し、前記記憶手段が記憶するコンテンツ鍵を消去する鍵移動手段と、前記コンテンツ鍵が消去された後に、前記第2暗号化コンテンツを前記記録媒体に記録し、前記記憶手段から消去するコンテンツ移動手段とから構成されることを特徴とする記録装置である。
【０１３７】
この構成によると、記録装置からコンテンツ鍵が消去されるので、記録装置内の第１暗号化コンテンツの利用は無効化され、著作権を保護することが出来る。また、記録装置内に第1暗号化コンテンツが記録されたままなので、コンテンツ鍵を取得すれば、変換されていないコンテンツを利用することが可能となる。
（２）上記（１）の記録装置において、前記鍵移動手段は、前記コンテンツ鍵を前記記録媒体に記録する記録部と、前記記憶手段が記憶するコンテンツ鍵を消去する消去部と、更に、前記記憶手段から前記コンテンツ鍵を読み出す読出部と、読み出された後に、前記記憶手段が記憶するコンテンツ鍵の利用を禁止する禁止部とを備え、前記記録部は、前記禁止部が禁止した後に記録を行うとしても良い。
【０１３８】
また、前記記録装置において、前記コンテンツ鍵は、当該コンテンツ鍵が利用可能であることを示す利用可能情報を対応付けられており、前記禁止部は、前記利用可能情報を、利用禁止であることを示す利用禁止情報に書き換えるとしても良い。
この構成によると、利用可能なコンテンツ鍵が同時に2個存在することが無いので、移動処理を行っている間に、記憶手段に記録されているコンテンツ鍵を不正に利用されることを防止することが出来る。
【０１３９】
（３）上記（１）の前記記録装置は、更に、前記第2暗号化コンテンツ及び前記コンテンツ鍵が前記記録媒体に記録された後、前記記録媒体から、前記コンテンツ鍵を取得し、取得したコンテンツ鍵を、利用を禁止した状態で前記記憶手段に書き込み、前記記録媒体から前記コンテンツ鍵を消去し、前記記憶手段に書き込んだコンテンツ鍵の利用を許可する鍵再移動手段を備えるとしても良い。
【０１４０】
また、前記記録装置において、前記鍵再移動手段は、更に、前記コンテンツ鍵を書き込む場合に、当該コンテンツ鍵の利用が禁止されていることを示す利用禁止情報を、前記コンテンツ鍵に対応付けて書きこみ、前記記録媒体から前記コンテンツ鍵が消去されると、前記利用不可能情報を、利用可能であることを示す利用可能情報に書き換えるとしても良い。
【０１４１】
この構成によると、前記記録媒体から前記コンテンツ鍵を移動することによって、変換前のコンテンツを復元可能となり、利用することが出来る。また、前記記録媒体からはコンテンツ鍵を消去するため、記録媒体には、第２暗号化コンテンツとコンテンツ鍵とのセットが存在せず、変換後のコンテンツを利用することは出来ないので、著作権を保護することが出来る。
【０１４２】
（４）上記（１）の前記記録装置は、更に、前記コンテンツを取得する取得手段と、前記取得したコンテンツを予め変換する変換手段と、前記コンテンツと、変換後のコンテンツとをそれぞれ、前記コンテンツ鍵を用いて復号可能となるように暗号化し、第1暗号化コンテンツ及び第２暗号化コンテンツを生成する暗号化手段とを備えるとしても良い。
この構成によると、予め変換され、記憶されているため、前記記録媒体に移動する際に変換を行う場合と比較すると、移動を開始してから終了するまでに要する時間を短縮することが出来る。
【０１４３】
（５）上記（１）の前記記録装置は、更に、前記コンテンツ鍵を読み出し、読み出した前記コンテンツ鍵を用いて前記第1暗号化コンテンツ又は前記第2暗号化コンテンツを復号し、前記コンテンツ又は変換されたコンテンツを生成する復号手段と、復号された何れかのコンテンツを再生する再生手段と、前記コンテンツ鍵が読み出された後、前記再生手段が再生する前に、前記記憶手段が記憶しているコンテンツ鍵の利用を禁止する禁止手段とを備えるとしても良い。
【０１４４】
この構成によると、一方のコンテンツの復号及び再生処理と、他方のコンテンツの復号及び再生処理とは、排他的にしか実行できないため、不正利用を防止しすることが出来る。
（６）また、上記（１）の記録装置において、前記記憶手段は、更に、前記コンテンツ鍵の代わりに、前記第1暗号化コンテンツの復号に用いる第1コンテンツ鍵と、第2暗号化コンテンツの復号に用いる第2コンテンツ鍵とを記憶し、前記移動手段は、前記第2コンテンツ鍵を読み出す読出部と、読み出した前記第2コンテンツ鍵を前記記録媒体に記録する記録部と、前記記憶手段から前記第2コンテンツ鍵を消去する消去手段とを備え、前記記録装置は、更に、前記第2コンテンツ鍵が読み出された後に、前記第1コンテンツ鍵及び第2コンテンツ鍵の利用を禁止する禁止手段を備えるとしても良い。
【０１４５】
この構成によると、各コンテンツが別々の鍵を用いて暗号化されたとしても、記録装置に記録されたままの第1暗号化コンテンツを復号するための第1コンテンツ鍵は、利用が禁止されているので、第1暗号化コンテンツを不正に再生することは出来ない。
（７）上記（６）の前記記録装置は、更に、前記第2暗号化コンテンツ及び前記第2コンテンツ鍵が前記記録媒体に記録された後、前記記録媒体から前記第2コンテンツ鍵を消去する消去手段と、前記第１コンテンツ鍵の利用を許可する許可手段とを備えるとしても良い。
【０１４６】
この構成によると、記録媒体に記録されている第2コンテンツ鍵は、消去されるため、第2暗号化コンテンツは利用不可能となり、第1コンテンツ鍵の利用が許可さるため、第1暗号化コンテンツの復号が可能となる。よって、変換前のコンテンツを利用可能であり、また、同時に利用可能なコンテンツが二つ存在することはないので、著作権を保護することが出来る。
【０１４７】
（８）上記（６）の前記記録装置は、更に、前記記憶部から前記第1コンテンツ鍵を読み出し、当該第1コンテンツ鍵を用いて、前記第1暗号化コンテンツを復号し、前記コンテンツを生成する復号手段と、生成された前記コンテンツを再生する再生手段と、前記復号手段によって前記第１コンテンツ鍵が読み出された後、前記再生手段が再生を開始する前に、前記記憶手段に記憶されている前記第1コンテンツ鍵及び前記第2コンテンツ鍵の利用を禁止する禁止手段とを備えるとしても良い。
【０１４８】
この構成によると、一方のコンテンツを復号及び再生処理している期間には、両方のコンテンツ鍵の利用が禁止されているので、他方のコンテンツの復号及び再生処理とは、排他的にしか実行できないため、不正利用を防止し、著作権を保護できる。
（９）上記（１）の記録装置において、前記記録媒体は、モバイル機器に接続可能な可搬型の記録媒体であるとしても良い。
【０１４９】
一般的に、可搬型の記録媒体は、HDDなどに比べると記憶容量が少なく、このような記録媒体にコンテンツを移動する場合、データ量を減らすための画像変換を行うとコンテンツの画質が劣化する。このように圧縮して移動した後に、記録媒体から元のHDDにコンテンツを移動し直す場合、本発明を適用すると、画像変換前のコンテンツが暗号化して記録されているため、高画質のコンテンツを視聴することが出来る。また、移動後の記録装置からはコンテンツ鍵が消去されているため、暗号化コンテンツが記録されていても復号できず、著作権を保護することが出来る。
【０１５０】
（１０）上記（１）において、前記記録媒体は、前記コンテンツ鍵を用いて前記第2暗号化コンテンツを復号し、前記コンテンツを生成する復号手段と、生成した前記コンテンツを再生する再生手段とを備える他の装置に実装されるとしても良い。
この構成によると、他の装置に移動した場合でも、同様にも著作権を保護しながら、元のコンテンツを利用することが可能となる。
【０１５１】
（１１）上記（１）において、前記不可逆圧縮は、受信したコンテンツを、より低品質なコンテンツへの変換を行い、データ量を減らして圧縮率を上げる。
この構成によると、データ量を減らすので、記憶容量の少ない記録媒体に第２暗号化コンテンツを移動することが出来る。
【産業上の利用可能性】
【０１５２】
映画や音楽などの著作物がデジタル化されたコンテンツやコンピュータプログラムなどのソフトウェアを提供するソフトウェア産業において、本発明は、経営的に、また反復的、継続的に使用することが出来る。また、本発明の記録再生装置、記録媒体は、電器製品等の製造産業において、生産し、販売することが出来る。
【図面の簡単な説明】
【０１５３】
【図１】図１は、実施の形態１の、著作物保護システム１の全体の構成を示す。
【図２】図２は、記録再生装置１０２の構成を示すブロック図である。
【図３】図３は、メモリカード１０４の構成を示すブロック図である。
【図４】図４は、コンテンツC2を記録する場合の動作を示すフローチャートである。
【図５】図５は、暗号化コンテンツEC4を移動する場合の動作を示すフローチャートである。
【図６】図６は、暗号化コンテンツEC4を移動する場合の、各記録領域におけるデータの状態を示す。図７へ続く。
【図７】図７は、暗号化コンテンツEC4を移動する場合の、各記録領域におけるデータの状態を示す。図６の続き。
【図８】図８は、暗号化コンテンツEC4を元の記録再生装置へ戻す場合の動作を示すフローチャートである。図９へ続く。
【図９】図９は、暗号化コンテンツEC4を元の記録再生装置へ戻す場合の動作を示すフローチャートである。図８の続き。
【図１０】図１０は、暗号化コンテンツEC4を元の記録再生装置へ戻す場合の、各記録領域におけるデータの状態を示す。図１１へ続く。
【図１１】図１１は、暗号化コンテンツEC4を元の記録再生装置へ戻す場合の、各記録領域におけるデータの状態を示す。図１０の続き。
【図１２】図１２は、コンテンツC2を再生する場合の動作を示すフローチャートである。
【図１３】図１３は、実施の形態２の、著作物保護システム１ｂの全体の構成を示す。
【図１４】図１４は、記録再生装置１０２ｂの構成を示すブロック図である。
【図１５】図１５は、メモリカード１０４ｂの構成を示すブロック図である。
【図１６】図１６は、コンテンツC2を記録する場合の動作を示すフローチャートである。
【図１７】図１７は、暗号化コンテンツEC4Bを移動する場合の動作を示すフローチャートである。
【図１８】図１８は、暗号化コンテンツEC4Bを移動する場合の、各記録領域におけるデータの状態を示す。図１９へ続く。
【図１９】図１９は、暗号化コンテンツEC4Bを移動する場合の、各記録領域におけるデータの状態を示す。図１８の続き。
【図２０】図２０は、暗号化コンテンツEC4Bを元の記録再生装置へ戻す場合の動作を示すフローチャートである。図２１へ続く。
【図２１】図２１は、暗号化コンテンツEC4を元の記録再生装置へ戻す場合の動作を示すフローチャートである。図２０の続き。
【図２２】図２２は、暗号化コンテンツEC4を元の記録再生装置へ戻す場合の、各記録領域におけるデータの状態を示す。図２３へ続く。
【図２３】図２３は、暗号化コンテンツEC4を元の記録再生装置へ戻す場合の、各記録領域におけるデータの状態を示す。図２２の続き。
【図２４】図２４は、暗号化コンテンツEC2を再生する場合の動作を示すフローチャートである。
【図２５】図２５は、メモリカード１０４で利用フラグを制御する場合の、暗号化コンテンツEC4の移動の動作を示すフローチャートである。
【図２６】図２６は、上記場合の各記録領域におけるデータの状態を示す。図２７に続く。
【図２７】図２７は、  上記場合の各記録領域におけるデータの状態を示す。図２６の続き。
【図２８】図２８は、暗号化コンテンツEC4を元に戻す場合の動作を示すフローチャートである。図２９に続く。
【図２９】図２９は、暗号化コンテンツEC4を元に戻す場合の動作を示すフローチャートである。図２８の続き。
【図３０】図３０は、上記場合の各記録領域におけるデータの状態を示す。図３１に続く。
【図３１】図３１は、  上記場合の各記録領域におけるデータの状態を示す。図３０の続き。
【符号の説明】
【０１５４】
１    著作物保護システム
１０１    コンテンツ供給装置
１０２    記録再生装置
１０３    記録再生装置
１０４    メモリカード
１０５    モバイル機
【図１】
0004719145.tif 000002
【図２】
0004719145.tif 000003
【図３】
0004719145.tif 000004
【図４】
0004719145.tif 000005
【図５】
0004719145.tif 000006
【図６】
0004719145.tif 000007
【図７】
0004719145.tif 000008
【図８】
0004719145.tif 000009
【図９】
0004719145.tif 000010
【図１０】
0004719145.tif 000011
【図１１】
0004719145.tif 000012
【図１２】
0004719145.tif 000013
【図１３】
0004719145.tif 000014
【図１４】
0004719145.tif 000015
【図１５】
0004719145.tif 000016
【図１６】
0004719145.tif 000017
【図１７】
0004719145.tif 000018
【図１８】
0004719145.tif 000019
【図１９】
0004719145.tif 000020
【図２０】
0004719145.tif 000021
【図２１】
0004719145.tif 000022
【図２２】
0004719145.tif 000023
【図２３】
0004719145.tif 000024
【図２４】
0004719145.tif 000025
【図２５】
0004719145.tif 000026
【図２６】
0004719145.tif 000027
【図２７】
0004719145.tif 000028
【図２８】
0004719145.tif 000029
【図２９】
0004719145.tif 000030
【図３０】
0004719145.tif 000031
【図３１】
0004719145.tif 000032